(57)【特許請求の範囲】
【請求項１】
容器本体と、蓋と、前記蓋を開く方向に付勢する弾性部材とを備え、前記蓋がヒンジ部を介して前記容器本体に対し旋回動可能に連結され、前記蓋をワンタッチで開閉可能な容器の開閉機構であって、
前記開閉機構に、前記蓋に立設される係止部と、前記容器本体に配置され前記蓋を閉じたとき前記係止部が係合するロック具と、前記容器本体に配置されるとともに前記係止部が通過可能な開口部を有するロック具収容室とが含まれ、
前記係止部は、前記蓋に立設される支柱部と、前記支柱部の先端に立設される係止突起とを備え、
前記ロック具は、その表面に前記係止突起が進入及び退出可能な出入口部と、前記係止突起が係合可能な係合部と、前記出入口部から前記係合部を経て前記出入口部に戻るカム溝とを備えるとともに、前記ロック具収容室内に、前記係止突起の進入方向に対し直交する方向に摺動可能に収納され、
前記カム溝の一部が前記ロック具の摺動方向に並行な方向に湾曲し、
前記ロック具の前記出入口部の少なくとも一部が、前記ロック具収容室の前記開口部に連通し、
前記ロック具収容室が、前記開口部を有する上部壁と、前記上部壁に対向する底部壁とを備え、
前記ロック具が、ベース部と、前記ベース部に直交して延び出す本体部とを備えるＬ字型の部材であり、
前記ベース部が、前記底部壁に対向し、
前記本体部が板状であり、前記上部壁に対向する面を有し、
前記上部壁及び前記底部壁のそれぞれが、前記ロック具の摺動方向を規定する摺動規制部を備え、
前記ロック具が、前記上部壁に対向する面及び前記底部壁に対向する面のそれぞれに、前記摺動規制部に摺動可能に接触する従動部を備え、
前記摺動規制部が、前記ロック具の摺動方向と平行な方向に一定の幅で延びる少なくとも１条の連続隆起部であり、
前記従動部が、前記ロック具において前記上部壁に対向する面及び前記底部壁に対向する面のそれぞれに配置される少なくとも１つの突起部であり、
前記突起部が、前記上部壁及び前記底部壁に配置された前記連続隆起部の少なくとも１つの側面に摺動可能に接することを特徴とする、開閉容器の開閉機構。
【請求項２】
前記上部壁及び前記底部壁のそれぞれが１条の前記連続隆起部を有し、前記連続隆起部の両側面に前記突起部が摺動可能に接する、請求項１に記載の開閉機構。
【請求項３】
前記上部壁及び前記底部壁の少なくとも一方が２条の前記連続隆起部を有し、前記突起部が前記２条の連続隆起部の間に挟まれて前記連続隆起部の側面に摺動可能に接する、請求項１に記載の開閉機構。
【請求項４】
前記ロック具収容室が前記ロック具の摺動方向において互いに対向する一対の第１側壁部を備え、前記ロック具は前記一対の第１側壁部の間に、前記一対の第１側壁部から離間して配置される、請求項１から３のいずれか１項に記載の開閉機構。
【請求項５】
前記ロック具収容室にさらに、前記開口部に連通するとともに、前記係止部を収容可能な係止部収容空間が含まれ、前記係止部収容空間が前記ロック具の前記表面に対向する、請求項１から４のいずれか１項に記載の開閉機構。
【請求項６】
前記出入口部の前記ロック具の摺動方向における開口寸法が、前記カム溝に向かうに従い次第に小さくなる、請求項１から５のいずれか１項に記載の開閉機構。
【請求項７】
前記係止突起が前記カム溝を通過するとき、前記係止突起が前記カム溝の溝壁面に押し付けられる、請求項１から６のいずれか１項に記載の開閉機構。
【発明の詳細な説明】
【技術分野】
【０００１】
この発明は開閉容器の開閉機構に関する。
【背景技術】
【０００２】
従来、蓋をワンタッチで開閉可能な開閉容器は公知である。例えば特許文献１には、内容物取り出し用の取出し口を備えた容器部と、該容器部の取出し口を閉じるように容器部にヒンジ手段を介して揺動自在に連結された蓋と、該蓋を開方向に付勢するばね手段と、蓋の先端領域を容器部に押し付けるように押すことで蓋の先端領域を容器部にロックし、ロック状態にある蓋の先端領域を再度押すことでロックを解除する構成のプッシュロック・オープン機構を有するワンタッチ開閉容器が開示されている。
【先行技術文献】
【特許文献】
【０００３】
【特許文献１】特開２００７−２６１６７０号公報
【発明の概要】
【発明が解決しようとする課題】
【０００４】
特許文献１に開示された発明によれば、蓋を片手で簡単に安定して開閉することができると共に、すっきりとしたシンプルな形の外観を有するワンタッチ開閉容器が提供される。しかし、特許文献１に開示されたプッシュロック・オープン機構では、回転部材またはヒンジ部が形成されたカム部材が含まれているため、構造が複雑である。また、小型で軽量の容器の蓋に回転部材等を取り付けた場合、回転部材等の重量により蓋が開きにくくなることがある。
【０００５】
以上に鑑み、本発明は、蓋をワンタッチで開閉可能な、簡易な構造の開閉機構を提供することを課題とする。
【課題を解決するための手段】
【０００６】
本発明は、容器本体と、蓋と、蓋を開く方向に付勢する弾性部材とを備え、蓋がヒンジ部を介して容器本体に対し旋回動可能に連結され、蓋をワンタッチで開閉可能な容器の開閉機構に関する。
【０００７】
本発明の開閉機構は、蓋に立設される係止部と、容器本体に配置され蓋を閉じたとき係止部が係合するロック具と、容器本体に配置されるとともに係止部が通過可能な開口部を有するロック具収容室とが含まれ、係止部は、蓋に立設される支柱部と、支柱部の先端に立設される係止突起とを備え、ロック具は、その表面に係止突起が進入及び退出可能な出入口部と、係止突起が係合可能な係合部と、出入口部から係合部を経て出入口部に戻るカム溝とを備えるとともに、ロック具収容室内に、係止突起の進入方向に対し直交する方向に摺動可能に収納され、カム溝の一部がロック具の摺動方向に並行な方向に湾曲し、ロック具の出入口部の少なくとも一部がロック具収容室の開口部に連通し、ロック具収容室が、開口部を有する上部壁と、上部壁に対向する底部壁とを備え、上部壁及び底部壁のそれぞれが、ロック具の摺動方向を規定する摺動規制部を備え、ロック具が、上部壁に対向する面及び底部壁に対向する面のそれぞれに、摺動規制部に摺動可能に接触する従動部を備え、摺動規制部が、ロック具の摺動方向と平行な方向に一定の幅で延びる少なくとも１条の連続隆起部であり、従動部が、ロック具において上部壁に対向する面及び底部壁に対向する面のそれぞれに配置される少なくとも１つの突起部であり、突起部が、上部壁及び底部壁に配置された連続隆起部の少なくとも１つの側面に摺動可能に接することを特徴とする。
【発明の効果】
【０００８】
本発明では、係止突起を備える係止部を蓋に立設し、係止突起と係合可能なロック具を容器本体に配置するとともに、ロック具を一方向に摺動可能に設置することによって、係止突起がロック具の係合部に繰り返し進入・退出することを可能にしているので、ワンタッチで蓋を開閉可能な、簡易な構造の開閉機構が提供される。本発明の開閉機構では、蓋に係止部のみを配置し、係止部が係合するロック具は容器本体に配置する構成としているので、蓋の重量が原因で蓋が開きにくくなることは無い。さらに、開閉機構にロック具の摺動方向を規定する摺動規制部と、摺動規制部に摺動可能に接触する従動部が含まれていることにより、ロック具の摺動方向を規制できるだけでなく、ロック具がロック具収容室内で転倒したりずれ動いたりすることを防止できる。
【図面の簡単な説明】
【０００９】
図面は、本発明の特定の実施の形態を示し、発明の不可欠な構成ばかりでなく、選択的及び好ましい実施の形態を含む。
【図１】本発明の開閉機構を備えるウェットティシュ包装容器の斜視図。
【図２】図１のＩＩ−ＩＩ線断面図。
【図３】図３（ａ）は係止部の正面図、図３（ｂ）は係止部の側面図。
【図４】ロック具収容室内に収納されたロック具を図２のＩＶ−ＩＶ線切断面から見た矢視図。
【図５】図５（ａ）はロック具の正面図、図５（ｂ）〜（ｄ）はそれぞれ、図５（ａ）のＡ−Ａ線断面図、Ｂ−Ｂ線断面図、Ｃ−Ｃ断面図。
【図６】図６（ａ）〜（ｄ）は係止突起を係止するまでの過程を表す模式図、図６（ｅ）〜（ｆ）は係止突起の係止を解除する過程を表す模式図。
【発明を実施するための形態】
【００１０】
下記の実施の形態は添付の図面に示す開閉機構に関し、発明の不可欠な構成ばかりではなく、選択的及び好ましい構成を含む。以下、添付の図面を参照して、本発明の開閉機構をウェットティシュ収容容器１に用いた場合を例に説明する。
【００１１】
図１及び図２に示すように、ウェットティシュ収容容器１は、容器本体１１と、蓋１２とを備え、蓋１２はヒンジ部１４を介して容器本体１１に対し旋回動可能に連結されている。容器本体１１と蓋１２との間のヒンジ部１４近傍には、蓋１２を開く方向に付勢する弾性部材１３が配置されている。図示例の弾性部材１３は、折り畳まれたゴムシート片である。容器本体１１には、下部開口３が形成された筐体１５と、下部開口３の一部を覆うとともにウェットティシュ２を取り出すための取出開口４が形成されたシール部材９と、取出開口４より開口径が大きい上部開口５が形成されたシール押さえ部材６と、筐体１５の底部に嵌め合わされる底蓋１６とが含まれる。ウェットティシュ２は、筐体１５と底蓋１６との間に形成される空間内に収納される。ウェットティシュ収容容器１の製造に用いる材料として、熱可塑性樹脂、金属、熱可塑性エラストマーが例示されるが、これらに限定されない。なお、図２では開放された状態の蓋１２の図示を一部省略している。
【００１２】
ヒンジ部１４には、容器本体１１に立設された円形孔を有するリブ７と、蓋１２に設けられたピン８とが含まれ、リブ７の円形孔に蓋１２のピン８を挿入することにより、蓋１２が容器本体１１に対し旋回動可能に連結されている。したがって、蓋１２の旋回軸は、ヒンジ部１４のピン８の延在方向に平行な方向に延びる。蓋１２の旋回軸の延在方向に直交する方向においてヒンジ部１４から離間する蓋１２の端部の裏側には、蓋１２とともに旋回動する係止部２１が立設されている。係止部２１は、後述するロック具４０に進入可能な係止突起２３を備える。また、容器本体１１に含まれる筐体１５には、蓋１２の旋回軸の延在方向に直交する方向においてヒンジ部１４に離間対向する位置に、ロック具収容室３１が配置されている。
【００１３】
図２を参照して、ロック具４０が収納されるロック具収容室３１には、蓋１２を閉じたとき蓋１２の裏側に設けられた係止部２１に対向する位置に、開口部３２が配置されている。開口部３２は、係止部２１が通過可能に形成されている。ロック具４０は、ロック具収容室３１の中に、係止突起２３の進入方向に対し直交する方向に摺動可能に収納される。また、ロック具収容室３１は、開口部３２を有する上部壁３３と、上部壁３３に対向する底部壁３４とを備え、さらに、ロック具４０の摺動方向において互いに対向する一対の第１側壁部５１（図４参照）と、一対の第１側壁部５１の間に延びる第２側壁部５２及び第３側壁部５３を備える。第３側壁部５３は、ヒンジ部１４と第２側壁部５２との間に位置する。また、ロック具収容室３１の第２側壁部５２とロック具４０との間には、係止部２１が進入及び退出可能な、係止部収容空間３８が形成されている。係止部収容空間３８は、開口部３２に連通する。
【００１４】
図３を参照して、係止部２１は蓋１２に立設される支柱部２２と、支柱部２２の先端に位置して支柱部にほぼ直交する方向に突き出す係止突起２３とを備える。係止部２１は蓋１２に固定された部材である。係止突起２３の形状は特に限定されないが、円柱状にすれば、ロック具４０に対する係合及び離脱が円滑に行われるので好ましい。支柱部２２の形状も特に限定されず、例えば係止突起２３の突出方向に直交する平板形状にすることができる。係止部２１は、蓋１２と一体または別体とすることができ、熱可塑性樹脂を用いて蓋１２と一体に成形することが好ましい。
【００１５】
図４及び図５を参照して、ロック具収容室３１に摺動可能に収納されるロック具４０は、ベース部４８と、ベース部４８に直交して延び出す本体部４９とを備える略Ｌ字型の部材である。ベース部４８は、ロック具収容室３１に収納されたとき、底部壁３４に摺動可能に接触する。また、ロック具収容室３１において、ベース部４８は本体部４９の表面４７から係止部収容空間３８側に向けて延び出す。本体部４９は板状であり、係止部収容空間３８に対向する表面４７に、係止部２１の係止突起２３が進入及び退出可能な出入口部４１と、係止突起２３が係合可能な係合部４２と、出入口部４１から係合部４２を経て出入口部４１に戻るカム溝４３が形成されている。カム溝４３の一部は、ロック具４０の摺動方向と並行な方向に湾曲している。ロック具４０を正面から見たとき、係合部４２は、係止突起２３の進入方向において出入口部４１に対向する位置にある。出入口部４１のロック具４０の摺動方向における開口寸法は、カム溝４３に向かうに従い次第に小さくなっている。また、出入口部４１の少なくとも一部がロック具収容室３１の開口部３２に連通する。なお、図４〜６では、ロック具４０の表面４７に出入口部４１、係合部４２、及びカム溝４３が配置されていない部分を、ドットを付して表している。
【００１６】
ロック具４０の摺動方向は、係止突起２３の進入方向に直交する方向であり、図４では、係止突起２３の進入方向は紙面縦方向（双頭矢印Ｙで表す）であり、ロック具４０の摺動方向は紙面横方向（双頭矢印Ｘで表す）である。別言すれば、係止突起２３の進入方向は、蓋１２の旋回軸の延在方向にほぼ直交する方向であり、ロック具４０の摺動方向は、蓋１２の旋回軸の延在方向に平行な方向である。しかし、ロック具４０の摺動方向はこれに限定されず、例えばロック具４０を蓋１２の旋回軸の延在方向に対し直交または交差する方向に摺動させることもできる。
【００１７】
ロック具４０は、ロック具収容室３１に収納されるとき、一対の第１側壁部５１の間に、一対の第１側壁部５１から離間して配置される。これにより、ロック具４０の摺動方向におけるロック具４０の摺動可能範囲が規制される。
【００１８】
図２及び図４に示すように、ロック具収容室３１の上部壁３３及び底部壁３４の両方が、ロック具４０の摺動方向を規制する摺動規制部を備える。また、ロック具４０は、上部壁３３に対向する面及び底部壁３４に対向する面のそれぞれに、摺動規制部に摺動可能に接触する従動部を有する。なお、図示例では、ロック具収容室３１の上部壁３３は容器本体１１とは別の部材に形成されているが、上部壁３３を容器本体１１と一体に形成することもできる。
【００１９】
本実施形態では、ロック具収容室３１に配置される摺動規制部は、ロック具４０の摺動方向と平行な方向に一定の幅で延びる連続隆起部３７であり、ロック具収容室３１の上部壁３３には２条の連続隆起部３７が配置され、底部壁３４には、上部壁３３に配置された連続隆起部３７よりも幅広の１条の連続隆起部３７が配置されている。また、ロック具４０に配置される従動部は、半球状の突起部４６である。図示例では、突起部４６は半球状であるが、柱状、三角錐状、平板状にすることもできる。
【００２０】
ロック具４０の本体部４９において上部壁３３に対向する面には、２つの突起部４６が、ロック具４０の摺動方向と平行な方向に間隔を開けて配置され、ロック具収容室３１の上部壁３３に設けられた２条の連続隆起部３７の間に位置している。このように突起部４６が２条の連続隆起部３７の間に位置することにより、ロック具４０を所定の方向に円滑に摺動させることができ、さらに、ロック具４０が係止部収容空間３８側、またはその反対側に倒れることが防止される。また、ロック具４０がロック具収容室３１の下底部壁３４に対向する面、すなわちベース部４８の裏側には合計４つの突起部４６が設けられ、ロック具収容室３１の底部壁３４に設けられた１条の連続隆起部３７の両側面のそれぞれに突起部４６が２つずつ摺動可能に接するように配置されている。これにより、ロック具４０を所定の方向に円滑に摺動させることができ、さらに、ロック具４０が摺動方向から逸れてずれ動くことが防止される。以上の説明から明らかなように、摺動規制部はロック具４０の摺動方向を規制する機能に加え、ロック具４０がロック具収容室３１内で転倒したりずれ動いたりすることを防止する機能も有する。
【００２１】
摺動規制部及び従動部の具体的形態は図示例に限定されず、上記の機能を発揮する限り任意の形態にすることができる。例えば、上部壁３３及び底部壁３４の両方に１条の連続隆起部３７を設けることもできるし、上部壁３３及び底部壁３４の両方に２条の連続隆起部３７を設けることもできる。また、摺動規制手段３６をロック具４０の摺動方向に延在する少なくとも１条の溝にするとともに、従動部をこの溝に沿って摺動可能な球状または板状等の突起にすることもできるし、摺動規制部及び従動部を断面が台形の凹部と凸部の組合せにすることもできる。さらに、ロック具４０と、ロック具収容室３１の上部壁３３に設けられる連続隆起部３７との隙間を極力小さく（例えば０．５ｍｍ以下）し、ロック具４０がロック具収容室３１内で転倒しそうになったとき、連続隆起部３７にロック具４０が接触するようにして、ロック具４０がロック具収容室３１内で転倒することを防止することもできる。
【００２２】
次に、図５を参照して、ロック具４０の表面４７に配置された出入口部４１、係合部４２、及びカム溝４３について説明する。カム溝４３は、係止部２１の係止突起２３を、出入口部４１から係合部４２を経て出入口部４１へ一方向に誘導するための溝であり、係止突起２３の進行方向に沿って溝の深さが徐々に浅くなる部分と、溝の深さが突然深くなる段差部とを有する。前述のように、係合部４２は、ロック具４０の表面４７を正面から見たとき、係止突起２３の進入方向において出入口部４１に対向する位置に配置される。また、係止部２１の係止突起２３は、カム溝４３の溝壁面４４に押し付けられるようにしてカム溝４３に沿って移動する。ここで、カム溝４３の深さは、係止突起２３が蓋１２の旋回軸の周囲を旋回動しながらカム溝４３を通過することを考慮に入れて、係止突起２３がカム溝４３の溝壁面４４に押し付けられるように設定される。例えば、図示例のように、係止突起２３が蓋１２の旋回軸に対しほぼ直交する方向に延在する場合、蓋１２の旋回軸を中心として係止突起２３全体が描く扇状の旋回軌跡の中に、少なくとも係合部４２の底面と、係合部４２に隣接するカム溝４３の溝壁面４４の一部とが含まれるようにすることができる。
【００２３】
図５（ａ）〜（ｄ）に示すように、カム溝４３は、出入口部４１から係合部４２に至る進入溝部６１と、係合部４２から出入口部４１に戻る退出溝部６２とに区分され、進入溝部６１と退出溝部６２は、出入口部４１において合流する。進入溝部６１と退出溝部６２との合流点では、退出溝部６２よりも進入溝部６１の方が深くなっている（図５（ｃ），（ｄ）参照）。このように、出入口部４１において合流する進入溝部６１と退出溝部６２との間に段差があることにより、出入口部４１から進入した係止部２１の係止突起２３は、進入溝部６１へ誘導される。図５（ａ）に示すように、進入溝部６１は、出入口部４１から出発する第１進入溝部６１ａと、第１進入溝部６１ａと係合部４２との間に位置するする第２進入溝部６１ｂとに区分される。図５（ｂ）に示すように、第１進入溝部６１ａの深さは第２進入溝部６１ｂに向かうに従い次第に浅くなり、第２進入溝部６１ｂで急に深くなる。第１進入溝部６１ａと第２進入溝部６１ｂとの境界は、進入溝部６１の湾曲部６４に位置する。また、係合部４２の深さは進入溝部６１よりも深くなっている（図５（ｂ），（ｃ））。したがって、係止突起２３が第２進入溝部６１ｂから第１進入溝部６１ａへ逆戻りすることは無く、また係合部４２から第２進入溝部６１ｂへ逆戻りすることもない。退出溝部６２の深さは係合部４２よりもさらに深くなっており（図５（ｃ），（ｄ））、退出溝部６２の湾曲部６５を経て出入口部４１に向かうに従い次第に浅くなる。したがって、退出溝部６２へ進入した係止突起２３が係合部４２へ逆戻りすることは無い。
【００２４】
図６を参照して、本発明の開閉機構の動作を説明する。なお、図面を見やすくするため、図６（ａ）〜（ｆ）では支柱部２２及び係止突起２３を仮想線で示している。
【００２５】
蓋１２（図示せず）を閉じるために蓋１２を押し下げると、図６（ａ）に示すように、係止部２１の係止突起２３がロック具４０の出入口部４１に進入し、さらにカム溝４３の第１及び第２進入溝部６１ａ，６１ｂに沿って移動する。このとき、ロック具４０の表面４７の正面視において、係止突起２３は直線的に移動する。このため、図６（ｂ）に示すように、ロック具４０は摺動規制部である連続隆起部３７の延在方向に沿って、図示例では紙面左方向に摺動する。図６（ｃ）に示すように、係止突起２３が進入溝部６１の湾曲部６４を通過するとき、ロック具４０は一対の第１側壁部５１の内の一方に最も接近する。また、前述のように係止突起２３はカム溝４３の溝壁面４４に押し付けられている。このため、湾曲部６４を通過した係止突起２３は、第１進入溝部６１ａよりも深さが大きい第２進入溝部６１ｂに落ち込む（図示せず）。この時点で蓋１２から手を放すと、蓋１２は弾性部材１３（図示せず）により開く方向へ付勢されているので、図６（ｄ）に示すように係止突起２３は出入口部４１に向かう方向に動き、第２進入溝部６１ｂからさらに係合部４２へ落ち込んで係止される。これにより、蓋１２が閉止される。蓋１２を開けるために、蓋１２を弾性部材１３の弾性力に抗して手で押し下げると、図６（ｅ）に示すように、係止突起２３は係合部４２から退出溝部６２へ落ち込んで、退出溝部６２の湾曲部６５へ移動する。係止突起２３が退出溝部６２の湾曲部６５に達したとき、ロック具４０は一対の第１側壁部５１の内の他方に最も接近する。その後、蓋１２から手を放すと、蓋１２を開く方向に付勢する弾性部材１３の弾性力により、係止突起２３が退出溝部６２から出入口部４１へ移動し（図６（ｆ））、さらにロック具４０から離脱する（図示せず）。これにより、蓋１２が開放される。
【００２６】
蓋１２が開放されたとき、すなわち係止突起２３がロック具４０から離脱したとき、ロック具４０の出入り口部４１は係止突起２３に正対する位置にある。仮に、容器本体１１からウェットティシュ２を取り出したときに出入口部４１の位置が係止突起２３に正対する位置からずれたとしても、出入口部４１のロック具４０の摺動方向における開口寸法が、カム溝４３に向かうに従い次第に小さくなっていること、及び、ロック具４０の摺動範囲が一対の第１側壁部５１により規制されていることにより、係止突起２３はロック具４０に確実に進入することができる。
【００２７】
以上のように、本発明により蓋をワンタッチで開閉可能な、簡易な構造の開閉機構が提供される。ここで、カム溝４３を有するロック具４０をロック具収容室３１内に固定し、係止部２１の基端部を蓋１２に対し揺動または回転可能にすることによっても、蓋１２をワンタッチで開閉可能な開閉機構を得ることは可能である。しかし、係止部２１の基端部を揺動可能にすると、係止部２１の付け根付近が折損するおそれがある。また、係止部２１の基端部を蓋１２に対し回転可能にすると、蓋１２に回転機構を設ける必要が生じ、構造が複雑になるばかりでなく、蓋１２が重くなり、開きにくくなる。本発明では係止部２１を蓋１２に固定し、容器本体１１に配置したロック具４０を摺動させる構成としたことにより、係止部２１を揺動または回転可能にすることなく、蓋１２をワンタッチで開閉することができる。これにより、簡単な構造で信頼性が高く、ワンタッチで蓋を開閉可能な開閉機構が提供される。また、蓋１２にロック具収容室３１を配置することも可能である。しかし、このような蓋１２をウェットティシュ収容容器１に用いると、蓋１２を開けたときロック具収容室３１及びその中に収納されたロック具４０が目につき易くなる。このため、蓋１２が開いた状態のとき子供が誤ってロック具４０を触ってしまい、開閉機構が正常に作動しなくなるおそれがある。本発明では、容器本体１１側に配置したロック具収容室３１の中にロック具４０を収納しているので、蓋１２が開いた状態のときでもロック具４０は目につきにくく、子供が誤って触れてしまうことはない。したがって、本発明の開閉機構は、特にウェットティシュ収容容器１に好適に用いることができる。
【００２８】
以上、本発明について実施形態に基づき説明したが、本発明はこれらに限定されず、種々変更して実施することができる。例えば、ロック具収容室３１の形状は図示例の直方体に限定されず、断面形状が台形の角柱等、任意の形状にすることができる。また、ロック具収容室３１を複数設けることもできる。本発明の開閉容器の開閉機構を製造するための材料は特に限定されず、熱可塑性樹脂、金属、熱可塑性エラストマー等の公知の材料から任意に選択することができる。例えば、弾性部材１３に金属性のバネを用いることができる。本願の明細書及び特許請求の範囲において、用語「第１」「第２」「第３」は、同様の要素、位置等を区別するために用いられている。
【００２９】
以上に記載した本発明に関する開示は、少なくとも下記の事項に整理することができる。
容器本体と、蓋と、蓋を開く方向に付勢する弾性部材とを備え、蓋がヒンジ部を介して容器本体に対し旋回動可能に連結され、蓋をワンタッチで開閉可能な容器の開閉機構であって、開閉機構に、蓋に立設される係止部と、容器本体に配置され蓋を閉じたとき係止部が係合するロック具と、容器本体に配置されるとともに係止部が通過可能な開口部を有するロック具収容室とが含まれ、係止部は、蓋に立設される支柱部と、支柱部の先端に立設される係止突起とを備え、ロック具は、その表面に係止突起が進入及び退出可能な出入口部と、係止突起が係合可能な係合部と、出入口部から係合部を経て出入口部に戻るカム溝とを備えるとともに、ロック具収容室内に、係止突起の進入方向に対し直交する方向に摺動可能に収納され、カム溝の一部がロック具の摺動方向に並行な方向に湾曲し、ロック具の出入口部の少なくとも一部が、ロック具収容室の開口部に連通し、ロック具収容室が、開口部を有する上部壁と、上部壁に対向する底部壁とを備え、上部壁及び底部壁のそれぞれが、ロック具の摺動方向を規定する摺動規制部を備え、ロック具が、上部壁に対向する面及び底部壁に対向する面のそれぞれに、摺動規制部に摺動可能に接触する従動部を備え、摺動規制部が、ロック具の摺動方向と平行な方向に一定の幅で延びる少なくとも１条の連続隆起部であり、従動部が、ロック具において上部壁に対向する面及び底部壁に対向する面のそれぞれに配置される少なくとも１つの突起部であり、突起部が、上部壁及び底部壁に配置された連続隆起部の少なくとも１つの側面に摺動可能に接することを特徴とする、開閉容器の開閉機構。
【００３０】
上記段落００２９に開示した本発明は、少なくとも下記の実施の形態を含むことができる。該実施の形態は、分離して又は互いに組み合わせて採択することができる。
上部壁及び底部壁のそれぞれが１条の連続隆起部を有し、連続隆起部の両側面に突起部が摺動可能に接する。
上部壁及び底部壁の少なくとも一方が２条の連続隆起部を有し、突起部が２条の連続隆起部の間に挟まれて連続隆起部の側面に摺動可能に接する。
ロック具収容室がロック具の摺動方向において互いに対向する一対の第１側壁部を備え、ロック具は一対の第１側壁部の間に、一対の第１側壁部から離間して配置される。
ロック具収容室にさらに、開口部に連通するとともに、係止部を収容可能な係止部収容空間が含まれ、係止部収容空間がロック具の表面に対向する。
出入口部のロック具の摺動方向における開口寸法が、カム溝に向かうに従い次第に小さくなる。
係止突起がカム溝を通過するとき、係止突起がカム溝の溝壁面に押し付けられる。
【符号の説明】
【００３１】
１１    容器本体
１２    蓋
１３    弾性部材
１４    ヒンジ部
１５    筐体
２１    係止部
２２    支柱部
２３    係止突起
３１    ロック具収容室
３２    開口部
３３    上部壁
３４    底部壁
３５    連続隆起部（摺動規制部）
３８    係止部収容空間
４０    ロック具
４１    出入口部
４２    係合部
４３    カム溝
４４    カム溝の溝壁面
４６    突起部（従動部）
４７    表面
５１    第１側壁部
【要約】
【課題】蓋をワンタッチで開閉可能な開閉機構の提供。
【解決手段】蓋１２に立設され係止突起２３を有する係止部２１と、容器本体１１に配置され係止部が係合するロック具４０と、ロック具を摺動可能に収納するロック具収容室３１とを備え、ロック具の表面に、係止突起の出入口部４１と、係止突起が係合可能な係合部４２と、出入口部から係合部を経て出入口部に戻るカム溝４３とが形成され、カム溝がロック具の摺動方向に並行な方向に湾曲し、ロック具収容室の上部壁３３及び底部壁３４がロック具の摺動規制部を備え、ロック具が摺動規制部に摺動可能に接触する従動部を備え、摺動規制部がロック具の摺動方向に平行に延びる少なくとも１条の連続隆起部３５であり、従動部は少なくとも１つの突起部４６であり、突起部が連続隆起部の側面に摺動可能に接する、蓋をワンタッチで開閉可能な容器の開閉機構。
【選択図】図２【図１】
0005830192.tif 000002
【図２】
0005830192.tif 000003
【図３】
0005830192.tif 000004
【図４】
0005830192.tif 000005
【図５】
0005830192.tif 000006
【図６】
0005830192.tif 000007